(57)【要約】【課題】    本考案は電熱膜を加熱源とした加熱装置を提供する。【解決手段】本考案は、電熱膜を加熱源とした加熱装置であって、前記加熱装置は遠赤外線放射材を基板材料に混入添加して成型された基板１と、前記基板１の１つの面に加熱用の電熱膜層２を設置し、前記電熱膜層２の両端に電極３が設置され、前記電極３からの通電により前記電熱膜層２が前記基板１の遠赤外線放射材に作用し、該遠赤外線放射材から発生する遠赤外線により被加熱物を加熱することができるようにした。また前記電熱膜層２上に耐熱絶縁層４を設置することにより、加熱装置の加熱面における断熱及び安全性を確保することができるようにした。【選択図】    図１
0003108350.tif 000002
【実用新案登録請求の範囲】
【請求項１】
電熱膜を加熱源とした加熱装置であって、前記加熱装置は遠赤外線放射材を基板材料に混入添加して成型された基板１と、前記基板１の１つの面に加熱用の電熱膜層２を設置し、前記電熱膜層２の両端には電極３が設置され、前記電極３からの通電により前記電熱膜層２が前記基板１の遠赤外線放射材に作用し、該遠赤外線放射材から発生する遠赤外線により被加熱物を加熱することができるようにしたことを特徴とする電熱膜を加熱源とした加熱装置。
【請求項２】
前記電熱膜層２上に耐熱絶縁層４を設置することにより、加熱装置の加熱面における断熱及び安全性を確保することができるようにしたことを特徴とする請求項１記載の電熱膜を加熱源とした加熱装置。
【考案の詳細な説明】
【技術分野】
【０００１】
本考案は、電熱膜を加熱源とする加熱装置の構造を提供するもので、構造の簡略化及び加熱効率を高めることができるようにした電熱膜を加熱源とする加熱装置に関する。
【背景技術】
【０００２】
従来の加熱装置は、主にニクロムコイル或いは石英管により空気の熱伝導により加熱する必要がある。しかるに、空気による熱伝導は効率が悪く、均等に加熱できないという問題点があると共に、装置が大型となり、加熱温度のコントロールが容易ではないという問題点がある。したがって、現在使用に供されている加熱装置は、電熱膜加熱方式が採用されている。
前記加熱装置における加熱源としての電熱膜と従来の電熱コイルとを比較すると、前記電熱膜は二次加熱伝導の必要がない為、被加熱物を迅速にしかも均等に加熱でき、かつ安全性、効率性がよいというメリットがある。
【０００３】
台湾特許公告第４７２９９７号の「加熱装置」を例にとれば、加熱装置は主に少なくとも１つの電熱膜を有し、前記電熱膜は、１つの基板と、１つのＡｇ−エポキシ樹脂と、１つの電極とからなり、前記基板の１つの面に遠赤外線放射層を有し、前記基板のもう１つの面には電熱膜層を有し、且つ、前記電熱膜層は導電保護層を有し、前記保護層は酸化表面を有し、前記Ａｇ−エポキシ樹脂は前記保護層上に予め設置され、且つ、保護層内部と電気的に接続され、前記電極は保護層とＡｇ−エポキシ樹脂と電熱膜層とに電気的に接続される構造で、電熱膜と遠赤外線放射層との作用により遠赤外線による被加熱物への加熱において高効率の加熱を達成することができるというものである「中華民国九十一年一月十一日（西暦２００２年１月１１日）専利参照」。
【特許文献１】台湾特許公告第４７２９９７号
【考案の開示】
【考案が解決しようとする課題】
【０００４】
前記従来公知の加熱装置は、高温焼結により基板上に遠赤外線放射層を形成するが、その加工工程は多少複雑であり、又、電熱膜層と遠赤外線放射層との間に基板があって間隔があるため、そのエネルギー転換効率が悪いという問題点があり、如何にして前記問題点を改良した構造の電熱膜を加熱源とする加熱装置を開発するかが、関係業界では開発目標となっている。
本考案人は前記課題に取り組み、長年セラミック産業設計製造に従事し、研究改良を積み重ね、ついに実用性のある本考案を完成した。
【０００５】
本考案の主な目的は電熱膜を加熱源とする加熱装置であり、遠赤外線放射材を基板材料に混入添加して成型された基板１と、前記基板１の１つの面に加熱用の電熱膜層２が設置され、前記電熱膜層２の両端に電極３が設置され、前記電極３の導電により前記電熱膜層２が前記基板１の遠赤外線放射材に作用し、発生する遠赤外線により被加熱物を加熱することができ、かつ構造の簡略化及び加熱効率を高めるようにすることにある。
本考案のもう１つの目的は、前記電熱膜層２上に耐熱絶縁層４を設置することにより、前記電熱膜を加熱源とする加熱装置の加熱面における断熱及び安全性を確保することができるようにすることにある。
【課題を解決するための手段】
【０００６】
請求項１の考案は、電熱膜を加熱源とした加熱装置であって、前記加熱装置は遠赤外線放射材を基板材料に混入添加して成型された基板１と、前記基板１の１つの面に加熱用の電熱膜層２を設置し、前記電熱膜層２の両端に電極３が設置され、前記電極３からの通電により前記電熱膜層２が前記基板１の遠赤外線放射材に作用し、該遠赤外線放射材から発生する遠赤外線により被加熱物を加熱することができるようにしたことを特徴とする。
請求項２の考案は、請求項１記載の電熱膜を加熱源とした加熱装置において、
前記電熱膜層２上に耐熱絶縁層４を設置することにより、加熱装置の加熱面における断熱及び安全性を確保することができるようにしたことを特徴とする。
【考案の効果】
【０００７】
本考案に係る電熱膜を加熱源とした加熱装置は、遠赤外線放射材を基板材料に混入添加して成型された基板１からなり、前記基板１の１つの面に加熱用の電熱膜層２が設置され、前記電熱膜層２の両端に電極３が設置され、前記電極３の導電により前記電熱膜層２が前記基板１の遠赤外線放射材に作用するように構成したので、構造の簡略化に加え、発生する遠赤外線により被加熱物を加熱することができ、被加熱物を迅速にしかも均等に加熱でき、かつ安全性及び加熱効率性がよいという効果がある。
さらに、本考案においては、前記電熱膜層２上に耐熱絶縁層４を設置する構成とすることにより、前記電熱膜を加熱源とする加熱装置の加熱面における断熱及び安全性を確保することができる効果を奏する。
【考案を実施するための最良の形態】
【０００８】
以下、添付図面を参照して本考案の好適な実施の形態を詳細に説明する。
【実施例１】
【０００９】
図１は本考案の電熱膜を加熱源とした加熱装置の第１実施例を示す平面図である。
本考案の電熱膜を加熱源とした加熱装置は、基板１と、該基板１の上面に設けられた加熱用の電熱膜層２と、電熱膜層２の両端に配設された電極３と、から構成されている。
前記基板１は、セラミック粉末等からなる遠赤外線放射材を基板材料に混入して成型されたものである。そして、前記基板１の上面には、例えば：スズ、ニクロム合金、銅−ニッケル合金コンスタンタン（constantan）、銅−ニッケル−マンガン合金等からなる加熱用の電熱膜層２が、熱化学反応高温霧化成長方法など周知の技術によって形成設置されている。
また、前記電熱膜層２の両端には電極３が配設されており、該電極３への通電により前記電熱膜層２に導電されることで、前記基板１の遠赤外線放射材に作用し、遠赤外線放射材から発生する遠赤外線により被加熱物を加熱することができるようになっている。
本考案における前記第１実施例による電熱膜を加熱源とした加熱装置は、従来に比較して格段に構造が簡略化されると共に、加熱装置としての加熱効率を高めることができる。
【実施例２】
【００１０】
図２は本考案の電熱膜を加熱源とした加熱装置の第２実施例を示す断面図である。
この考案における第２実施例は、前述の第１実施例における前記電熱膜層２の上面に耐熱絶縁層４を設置した点が異なるもので、その他の構成は同一であるので、同一部分には同一符号を付してその説明を省略してある。
第２実施例によれば、前記加熱部となる電熱膜層２の上面に耐熱絶縁層４を設置したので、加熱装置における断熱及び安全性を確保することができる。
【００１１】
前記のように本考案は、電熱膜を加熱源とする加熱装置の構造を提供するものであって、その構造が簡略化されると共に、加熱装置としての加熱効率を高めることができるものである。
【００１２】
以上のように、本考案の実施例について、その技術及び特徴を具体的に説明したが、本考案は前述の実施例に限定されることなく、本考案の実用新案登録請求の範囲内における種々の変更・改良は当然本考案の権利範囲に属するものである。
【図面の簡単な説明】
【００１３】
【図１】本考案の電熱膜を加熱源とした加熱装置の第１実施例を示す平面図である。
【図２】本考案の電熱膜を加熱源とした加熱装置の第２実施例を示す断面図である。
【符号の説明】
【００１４】
１    基板
２    電熱膜層
３    電極
４    耐熱絶縁層
【図１】
0003108350.tif 000003
【図２】
0003108350.tif 000004